(57)【要約】【課題】起動時に最適な撮影モードを選択することができる撮影装置等を提供する。【解決手段】本撮影装置としての携帯端末装置１は、複数の撮影モードのうちいずれかの撮影モードによって画像を撮影するものであり、携帯端末装置１を起動するキーと、前回起動時の撮影モードを記憶するメモリ１４と、起動時刻を取得し、携帯端末装置１の位置を取得し、その起動時刻および携帯端末装置１の位置の少なくとも一方に基づいて、メモリ１４により記憶された前回起動時の撮影モードを継続するか否かを判定する制御部１０と、を備える。【選択図】図１
2014123786.tif 000002
【特許請求の範囲】
【請求項１】
複数の撮影モードのうちいずれかの撮影モードによって画像を撮影する撮影装置であって、
当該撮影装置を起動する起動部と、
前記起動部による前回起動時の撮影モードを記憶する記憶部と、
前記起動部による起動時刻を取得する起動時刻取得部と、
当該撮影装置の位置を取得する位置取得部と、
前記起動時刻取得部により取得された起動時刻および前記位置取得部により取得された位置の少なくとも一方に基づいて、前記記憶部により記憶された前回起動時の撮影モードを継続するか否かを判定する撮影モード継続判定部と、
を備える撮影装置。
【請求項２】
請求項１に記載の撮影装置であって、
前記撮影モード継続判定部は、前記起動時刻取得部により取得された起動時刻が所定の時間帯に含まれる場合、前回起動時の撮影モードを継続すると判定する撮影装置。
【請求項３】
請求項１に記載の撮影装置であって、
前記記憶部は、前記起動部による前回起動時に前記起動時刻取得部により取得された前回起動時刻を記憶し、
前記撮影モード継続判定部は、前記起動時刻と前記前回起動時刻との差が所定時間以内である場合、前回起動時の撮影モードを継続すると判定する撮影装置。
【請求項４】
請求項１に記載の撮影装置であって、
前記記憶部は、前記起動部による前回起動時に前記位置取得部により取得された当該撮影装置の前回位置を記憶し、
前記撮影モード継続判定部は、当該撮影装置の位置と当該撮影装置の前回位置との距離が所定距離以内である場合、前回起動時の撮影モードを継続すると判定する撮影装置。
【請求項５】
請求項１に記載の撮影装置であって、
前記記憶部は、前記起動部による前回起動時に前記位置取得部により取得された当該撮影装置の前回位置を記憶し、
前記撮影モード継続判定部は、前記起動時刻取得部により取得された起動時刻が所定の時間帯に含まれており、かつ、当該撮影装置の位置と当該撮影装置の前回位置との距離が所定距離以内である場合、前回起動時の撮影モードを継続すると判定する撮影装置。
【請求項６】
請求項１ないし５のいずれか１項に記載の撮影装置であって、
前記撮影モード継続判定部は、前回起動時の撮影モードを継続しないと判定した場合、前記撮影モードとしてオートモードを選択すると判定する撮影装置。
【請求項７】
請求項１ないし５のいずれか１項に記載の撮影装置であって、
前記撮影モード継続判定部は、前回起動時の撮影モードを継続しないと判定した場合、前記撮影モードとしてオートモード以外の特定のモードを選択すると判定する撮影装置。
【請求項８】
請求項１ないし７のいずれか１項に記載の撮影装置であって、
前記撮影される画像を撮影画面に表示する表示部を備え、
前記表示部は、前記撮影画面に、前記撮影モード継続判定部により継続すると判定された前回起動時の撮影モードを表示する撮影装置。
【請求項９】
請求項１ないし８のいずれか１項に記載の撮影装置であって、更に、
前記位置取得部により取得された当該撮影装置の位置をもとに、暦情報を取得する暦情報取得部を備え、
前記撮影モード継続判定部は、前記暦情報取得部により取得された暦情報と、前記起動時刻取得部により取得された起動時刻と、に基づいて、前回起動時の撮影モードを継続するか否かを判定する撮影装置。
【請求項１０】
複数の撮影モードのうちいずれかの撮影モードによって撮影装置が画像を撮影する撮影方法であって、
当該撮影装置を起動する起動ステップと、
前記起動ステップにおける起動時刻を取得するステップと、
当該撮影装置の位置を取得する位置取得ステップと、
前記取得された起動時刻および前記取得された位置の少なくとも一方に基づいて、前回起動時の撮影モードを記憶する当該撮影装置の記憶部に記憶された前回起動時の撮影モードを継続するか否かを判定するステップと、
を有する撮影方法。
【請求項１１】
請求項１０に記載の撮影方法の各ステップをコンピュータに実行させるための撮影プログラム。
【発明の詳細な説明】
【技術分野】
【０００１】
本発明は、複数の撮影モードのうちいずれかの撮影モードによって画像を撮影する撮影装置、撮影方法、及び撮影プログラムに関するものである。
【背景技術】
【０００２】
従来、カメラには、様々な撮影モードで撮影することができる機能が備わっている。撮影モードを選択する方法として、時間によって推奨する撮影モード（夜であれば夜景モードなど）を複数表示し、ユーザが撮影モードを選択することが知られている（例えば、特許文献１参照）。
【０００３】
また、カメラ起動時の環境状況を検出して、最適な撮影モード（オートモード）に変更することが知られている（例えば、特許文献２参照）。
【先行技術文献】
【特許文献】
【０００４】
【特許文献１】特開２００６−２３８０７６号公報
【特許文献２】特開２００８−７２４１０号公報
【発明の概要】
【発明が解決しようとする課題】
【０００５】
しかしながら、上記従来の撮影装置では、以下のような事情があった。すなわち、特許文献１に記載の技術では、起動したときの時間帯で推奨する撮影モードが表示されるものの、時間帯だけでは正しい撮影モードを選択できないことがあった。
【０００６】
また、特許文献２に記載の技術では、オートモードであると、シーンが頻繁に変わったり、間違ったシーンを選択してしまったりすることがあった。
【０００７】
本発明は、上記事情を解決するためになされたものであって、起動時に最適な撮影モードを選択することができる撮影装置、撮影方法、及び撮影プログラムを提供することを目的とする。
【課題を解決するための手段】
【０００８】
本発明の撮影装置は、複数の撮影モードのうちいずれかの撮影モードによって画像を撮影する撮影装置であって、当該撮影装置を起動する起動部と、前記起動部による前回起動時の撮影モードを記憶する記憶部と、前記起動部による起動時刻を取得する起動時刻取得部と、当該撮影装置の位置を取得する位置取得部と、前記起動時刻取得部により取得された起動時刻および前記位置取得部により取得された位置の少なくとも一方に基づいて、前記記憶部により記憶された前回起動時の撮影モードを継続するか否かを判定する撮影モード継続判定部と、を備える。
【０００９】
この構成によれば、起動を行う撮影装置の状態（起動時刻、位置等）から、起動時に最適な撮影モードを選択することができる。したがって、ユーザが最適な撮影モードを選択する手間を省くことができる。
【００１０】
また、本発明の撮影方法は、複数の撮影モードのうちいずれかの撮影モードによって撮影装置が画像を撮影する撮影方法であって、当該撮影装置を起動する起動ステップと、前記起動ステップにおける起動時刻を取得するステップと、当該撮影装置の位置を取得する位置取得ステップと、前記取得された起動時刻および前記取得された位置の少なくとも一方に基づいて、前回起動時の撮影モードを記憶する当該撮影装置の記憶部に記憶された前回起動時の撮影モードを継続するか否かを判定するステップと、を有する。
【００１１】
この方法によれば、起動を行う撮影装置の状態（起動時刻、位置等）から、起動時に最適な撮影モードを選択することができる。したがって、ユーザが最適な撮影モードを選択する手間を省くことができる。
【００１２】
また、本発明の撮影プログラムは、上記撮影方法の各ステップをコンピュータに実行させるためのプログラムである。
【００１３】
このプログラムによれば、起動を行う撮影装置の状態（起動時刻、位置等）から、起動時に最適な撮影モードを選択することができる。したがって、ユーザが最適な撮影モードを選択する手間を省くことができる。
【発明の効果】
【００１４】
本発明によれば、起動時に最適な撮影モードを選択することができる。
【図面の簡単な説明】
【００１５】
【図１】本発明の第１の実施形態における携帯端末装置の構成例を示す図
【図２】本発明の第１の実施形態における撮影モードの判定基準の一覧が記されたテーブルの一例を示す図
【図３】本発明の第１の実施形態におけるカメラ起動動作手順の一例を示すフローチャート
【図４】本発明の第１の実施形態における移動距離判定手順の一例を示すフローチャート
【図５】本発明の第１の実施形態における時間帯判定手順の一例を示すフローチャート
【図６】本発明の第１の実施形態における暦情報を示すテーブルの一例を示す図
【図７】本発明の第１の実施形態におけるカメラ起動後、表示部に表示された撮影画面の一例を示す図
【図８】本発明の第２の実施形態におけるカメラ起動動作手順の一例を示すフローチャート
【発明を実施するための形態】
【００１６】
本発明の実施形態について、図面を用いて以下に説明する。
【００１７】
本実施形態の撮影装置は、カメラ機能を搭載したスマートフォンや携帯電話機などの携帯端末装置に適用される。
【００１８】
（第１の実施形態）
図１は第１の実施形態の撮影装置の一例である携帯端末装置１の構成例を示す図である。携帯端末装置１は、制御部１０、カメラ１１、操作部１２、表示制御部１３、記憶部（メモリ）１４、無線通信部１５、無線ＬＡＮ接続部１６、ＧＰＳ受信部１７、音声処理部１８、およびＲＴＣ（リアルタイムクロック）１９を有する。携帯端末装置１は、複数の撮影モードのうちいずれかの撮影モードによって画像を撮影する。
【００１９】
カメラ１１は、光学レンズ、撮像素子、シャッタ、絞り等を有する撮影部１１ａ、撮影した画像を処理する画像処理部１１ｂ、および撮影モードを設定し、この撮影モードに応じて撮影部１１ａおよび画像処理部１１ｂを制御するモード設定部１１ｃ、等を有する。
【００２０】
制御部１０は、携帯端末装置１の全体を制御するものであり、周知のＣＰＵ、ＲＯＭ、ＲＡＭ等を内蔵する。また、制御部１０は、内蔵するＣＰＵがＲＯＭに格納された撮影プログラムを実行することによりカメラ機能を実現させる。
【００２１】
操作部１２は、キー操作が可能なキー入力部１２ａ、タッチ操作がタッチパネル１２ｂ、シャッタボタン１２ｃ（図７参照）、等を有する。キー入力部１２ａのうち、特定のキー（例えば、図７のカメラキー１２ｄ）が操作されると、携帯端末装置１のカメラ機能が起動する。なお、このカメラキー１２ｄは、携帯端末装置１を起動する起動部の一例である。
【００２２】
表示制御部１３には、携帯端末装置１の前面に配置された表示部２０（図７参照）が接続される。表示制御部１３は、制御部１０から出力される画像データをもとに表示部２０に画像を表示させる。
【００２３】
記憶部（メモリ）１４は、画像データが記憶される画像メモリ１４ａ、各種テーブルが記憶されるテーブルメモリ１４ｂ、および各種データが一時的に記憶されるワークメモリ１４ｃ、等を有する。ワークメモリ１４ｃには、後述する前回起動時の撮影モード、起動時の時刻（起動時刻）や位置などの情報が記憶される。なお、メモリ１４は、揮発性メモリや不揮発性メモリからなる。
【００２４】
無線通信部１５は、アンテナ１５ａを介して無線基地局３０と通信を行い、携帯電話網との接続を制御する。
【００２５】
無線ＬＡＮ接続部１６は、アンテナ１６ａを介してアクセスポイント４０と通信を行い、インターネット網４６に接続された地図情報データベース（ＤＢ）サーバ４８や暦情報データベース（ＤＢ）サーバ４９（外部装置）との接続を制御する。
【００２６】
ＧＰＳ受信部１７は、アンテナ１７ａを介してＧＰＳ衛星５０と通信を行い、現在位置情報（緯度、経度、高度）を取得する。
【００２７】
音声処理部１８には、通話時などに使用される、音声を発するスピーカ２８および音声を入力するマイク２９が接続される。
【００２８】
ＲＴＣ１９は、時刻を計時する時刻ＩＣからなり、制御部１０内のＣＰＵに時刻データとして日時情報を出力する。
【００２９】
上記構成を有する携帯端末装置１のカメラ起動時の動作例を示す。本実施形態では、カメラを起動させた時、撮影モードとして、前回の撮影モードを設定するか、それともオートモードを設定するかを、判定基準に従って選択することが行われる。メモリ１４のテーブルメモリ１４ｂには、起動時の撮影モードを設定するための判定基準の一覧が記されたテーブルが格納されている。
【００３０】
図２は撮影モードの判定基準の一覧が記されたテーブルの一例を示す図である。このテーブル６５には、前回起動した時のシーンモード（撮影モード）に対し、継続して同じモードで起動するための条件が示されている。条件としては、今回カメラ起動時の時間帯と、前回撮影時から今回カメラ起動時までの移動距離とが用いられる。
【００３１】
また、テーブル６５には、前回起動時の撮影モードとして、次のような複数の撮影モード（シーンモード）が登録されている。すなわち、「夜景」、「人物・夜景」、「夕焼け」、「パーティ」、「風景」、「スポーツ」、「逆光」、「ビーチ」、「水族館」、「雪」、「紅葉」、「桜」、「花火」、「人物」、「ペット」、「料理」、「メモ」シーンモードの他、「オートモード」が挙げられている。
【００３２】
ここで、「夜景」のシーンモードは、フラッシュ未使用時、暗い雰囲気を損なわずに夜景を撮ることが可能なモードである。「人物・夜景」のシーンモードは、フラッシュ使用時、人物も夜景もくっきり描写して撮ることが可能なモードである。
【００３３】
「夕焼け」のシーンモードは、美しい夕暮れの赤色を印象的に表現して仕上げるモードである。「パーティ」のシーンモードは、室内での撮影に適したモードである。
【００３４】
「風景」のシーンモードは、絞りを絞って（通常Ｆ８以上）、被写界深度（ピントが合って見える範囲）を深く（広く）するように設定するモードである。
【００３５】
「スポーツ」のシーンモードは、動きに追従するコンティニュアスＡＦ（動く被写体にピントを合わせ続けて被写体をシャープに写せる）と高速シャッタとの組み合わせで、動く被写体の一瞬を鮮明に切りとるモードである。
【００３６】
「逆光」のシーンモードは、カメラが自動で逆光を判別してフラッシュを発光し、被写体が暗く写ってしまうことを防ぐモードである。「ビーチ」のシーンモードは、日射しの強いビーチなどで顔が影で暗くならないよう自動で補正するモードである。
【００３７】
「水族館」のシーンモードは、フラッシュをオフにし、絞りを開放にして撮影するモードである。「雪」のシーンモードは、白いものを露出補正して白く撮るモードである。
【００３８】
「紅葉」のシーンモードは、ホワイトバランスや露出補正を行って赤やオレンジをきれいに撮るモードである。「桜」のシーンモードは、サクラを白っぽく見せないように、鮮やかな赤やピンクに見せるモードである。
【００３９】
「花火」のシーンモードは、花火を撮影するために必要な露出やホワイトバランスなどを最適な状態に調節するモードである。「人物」のシーンモードは、背景をぼかして人物を引き立てるように設定するモードである。
【００４０】
「ペット」のシーンモードは、カメラが自動で犬や猫の顔をすばやく検出し、顔にピントを合わせるモードである。「料理」のシーンモードは、ホワイトバランスを調整して赤黄色っぽさを抑えるモードである。
【００４１】
「メモ」のシーンモードは、メモを付けた画像を撮影するモードである。「オートモード」は、撮影シーンに合わせてカメラが自動で撮影モードを設定するモードである。
【００４２】
例えば、前回起動した時の撮影モードが「夜景」のシーンモードである場合、継続して同じモードで起動する条件として、時間帯については「日の入りから、日の出までの時間帯で起動」することが設けられている。これにより、今回の起動時刻の時間帯に基づいて、容易に最適な撮影モードに設定することができる。一方、移動距離については、特に条件が設けられていない。
【００４３】
また、前回起動時の撮影モードが「パーティ」のシーンモードである場合、継続して同じモードで起動する条件として、移動距離については、今回起動時の位置と前回位置との距離が所定距離以内であるとして「５００ｍ以上移動していない」ことが設けられている。一方、時間帯については、特に条件が設けられていない。なお、前回位置とは、前回起動時（前回電源オンからオフまで）のいずれかのタイミングでの携帯端末装置１の位置である。
【００４４】
前回起動時の撮影モードが「水族館」のシーンモードである場合、継続して同じモードで起動する条件として、時間帯については「同一日かつ、２０時前（閉館時間を考慮、２０時は一例）」であり、かつ、移動距離については「１ｋｍ以上移動していない（１ｋｍは一例）」ことが設けられている。このように、起動時刻が所定の時間帯に含まれており、かつ、今回の携帯端末装置１の位置（今回位置）と前回の携帯端末装置１の位置（前回位置）との距離が所定距離以内である場合、前回起動時の撮影モードを継続すると判定する。これにより、今回の起動時刻の時間帯と、今回位置と前回位置との差と、の双方に基づいて、容易に最適な撮影モードに設定することができる。
【００４５】
前回起動時の撮影モードが「人物」のシーンモードである場合、継続して同じモードで起動する条件として、時間帯については、今回起動時刻と前回起動時刻の差が所定時間以内であるとして「前回カメラ起動から１週間以内（１週間は一例）」であることが設けられている。これにより、今回起動時刻と前回起動時刻との差に基づいて、容易に最適な撮影モードに設定することができる。一方、移動距離については、特に条件が設けられていない。
【００４６】
このように、継続して同じモードで起動する条件として、シーンごとに時間帯および移動距離の少なくとも一方が設けられている。
【００４７】
図３はカメラ起動動作手順の一例を示すフローチャートである。カメラを起動する際の撮影プログラムは、制御部１０内のＲＯＭに格納されており、使用者が操作部１２のカメラキー１２ｄ（図７参照）を押下してカメラ起動の指示を行うことにより、制御部１０内のＣＰＵによって実行される。なお、ここでは、一例として、「夜景」のシーンモードと「水族館」のシーンモードとの２つのシーンモードが、前回撮影モードとして継続して設定されるか否かを判定する場合を示すが、その他のシーンモードにおいても同様に判定される。
【００４８】
制御部１０は、まず、前回の（前回起動時の）撮影モードが「夜景」のシーンモード（夜景モード）であるか否かを判別する（ステップＳ１）。夜景モードでない場合、制御部１０は、前回の撮影モードが「水族館」のシーンモード（水族館モード）であるか否かを判別する（ステップＳ２）。水族館モードでない場合、制御部１０は、撮影モードをオートモードに設定する（ステップＳ３）。
【００４９】
一方、ステップＳ１で前回の撮影モードが夜景モードである場合、制御部１０は、テーブル６５を参照し、継続して同じモードで起動する条件を取得する（ステップＳ４）。制御部１０は、時間帯の条件、すなわち、太陽が出ている時間帯でないか否かを判定する時間帯判定処理を行う（ステップＳ５）。この時間帯判定処理については後述する。
【００５０】
制御部１０は、時間帯判定の結果、太陽が出ている時間帯でないという条件が満足されているか否かを判定する（ステップＳ６）。条件が満足されている場合、すなわち、太陽が出ている時間帯でない場合、制御部１０は、撮影モードを夜景モードに設定し、カメラ１１に出力する（ステップＳ７）。
【００５１】
一方、ステップＳ６で条件が満足されていない場合、すなわち、太陽が出ている時間帯である場合、制御部１０は撮影モードをオートモードに設定し、カメラ１１に出力する（ステップＳ８）。つまり、制御部１０は、前回起動時の撮影モードを継続しないと判定した場合、オートモードを選択するものと判定し、撮影モードをオートモードに設定する。これにより、前回起動時の撮影モードを継続しない場合であっても、多様な状況に対応可能なオートモードに設定することが可能である。
【００５２】
一方、ステップＳ２で前回の撮影モードが水族館モードである場合、制御部１０は、テーブル６５を参照し、継続して同じモードで起動する条件を取得する（ステップＳ９）。そして、制御部１０は、時間帯の条件として、メモリ１４のワークメモリ１４ｃに記憶された前回カメラ起動時の日時情報から、前回のカメラ起動が今日であったか否かを判別する（ステップＳ１０）。なお、このとき、制御部１０は、今日の日時をＲＴＣ１９から読み出して認識する。
【００５３】
前回のカメラ起動が今日であった場合、制御部１０は移動距離の条件、すなわち水族館から移動していないか否かを判定する移動距離判定処理を行う（ステップＳ１１）。この移動距離判定処理については後述する。
【００５４】
制御部１０は、移動距離判定の結果、条件が満足されているか否かを判定する（ステップＳ１２）。条件が満足されている場合、すなわち、水族館から移動していない場合、制御部１０は、時間帯の条件として、水族館の営業時間内であるか否かを判定する（ステップＳ１３）。営業時間内である場合、制御部１０は、撮影モードを水族館モードに設定し、カメラ１１に出力する（ステップＳ１４）。
【００５５】
一方、ステップＳ１０で前回のカメラ起動が今日でない場合、ステップＳ１２で水族館から移動した場合、あるいはステップＳ１３で水族館の営業時間内でない場合、制御部１０は、撮影モードをオートモードに設定し、カメラ１１に出力する（ステップＳ１５）。
【００５６】
なお、ステップＳ７、Ｓ８、Ｓ１４、Ｓ１５で設定された撮影モードはメモリ１４のワークメモリ１４ｃに記憶される。また、制御部１０は、ステップＳ７、Ｓ８、Ｓ１４、Ｓ１５で撮影モードを設定するとともに、撮影する画像が表示される表示部２０の撮影画面に、設定された撮影モードを示すモードアイコン２０ａ（図７参照）を表示させるように表示制御部１３に指示する。表示部２０は、表示制御部１３から出力される画像データをもとに、モードアイコン２０ａを含む画像を画面に表示する。
【００５７】
図４はステップＳ１１における移動距離判定手順の一例を示すフローチャートである。制御部１０は、まず、ＧＰＳ受信部１７を介してＧＰＳ衛星５０からの信号を受信し、現在位置情報（ＧＰＳ位置情報）を取得したか否かを判別する（ステップＳ２１）。
【００５８】
ＧＰＳ位置情報を取得した場合、制御部１０は、ステップＳ２３の処理に進む。一方、ステップＳ２１でＧＰＳ位置情報を取得しなかった場合、制御部１０は、無線通信部１５を介して無線基地局３０と通信を行い、基地局位置情報を取得する（ステップＳ２２）。
【００５９】
制御部１０は、ステップＳ２１で取得したＧＰＳ位置情報あるいはステップＳ２２で取得した基地局位置情報をメモリ１４のワークメモリ１４ｃに記憶する（ステップＳ２３）。なお、ステップＳ２１、Ｓ２２で制御部１０が携帯端末装置１の位置情報を取得する処理は位置取得部としての機能に相当する。
【００６０】
制御部１０は、ＧＰＳ位置情報あるいは基地局位置情報をもとに、前回カメラ起動時の位置から１ｋｍ以上離れているか否かを判定する（ステップＳ２４）。ステップＳ２４の処理は、起動時刻及び位置の少なくとも一方に基づいて、前回起動時の撮影モードを継続するか否かを判定する撮影モード継続判定部としての機能に相当する。この後、制御部１０は元の処理（図３のステップＳ１２以降）に復帰する。
【００６１】
図５はステップＳ５における時間帯判定手順の一例を示すフローチャートである。制御部１０は、まず、ＧＰＳ受信部１７を介してＧＰＳ衛星５０からの信号を受信し、現在位置情報（ＧＰＳ位置情報）を取得したか否かを判別する（ステップＳ３１）。
【００６２】
ＧＰＳ位置情報を取得した場合、制御部１０は、ステップＳ３３の処理に進む。一方、ステップＳ３１でＧＰＳ位置情報を取得しなかった場合、制御部１０は、無線通信部１５を介して無線基地局３０と通信を行い、基地局位置情報を取得する（ステップＳ３２）。
【００６３】
制御部１０は、ステップＳ３１で取得したＧＰＳ位置情報あるいはステップＳ３２で取得した基地局位置情報をメモリ１４のワークメモリ１４ｃに記憶する（ステップＳ３３）。なお、今回のカメラ起動時の位置情報がすでに取得され、記憶されている場合、ステップＳ３３の処理は省略されてもよい。
【００６４】
制御部１０は、ＧＰＳ位置情報あるいは基地局位置情報をもとに、無線ＬＡＮ接続部１６を介してインターネット網４６に接続された地図情報データベース（ＤＢ）サーバ４８から現在地を求める（ステップＳ３４）。さらに、制御部１０は、この求めた現在地をもとに、無線ＬＡＮ接続部１６を介してインターネット網４６に接続された暦情報ＤＢサーバ４９から暦情報を取得する（ステップＳ３５）。ステップＳ３５の処理は、携帯端末装置１の位置をもとに暦情報を取得する暦情報取得部に相当する。
【００６５】
なお、インターネット網を介して暦情報ＤＢサーバに接続する代わりに、あらかじめ代表的な場所（東京、大阪、福岡、札幌）の暦情報をメモリ１４に登録しておき、現在地に最も近い暦情報が代用されてもよい。
【００６６】
図６は暦情報の一例を示すテーブルである。このテーブルでは、現在地が例えば東京である場合の暦情報として、月ごとに日の出と日の入りの時刻が示されている。例えば、１月の場合、日の出の時刻は「６：５０」であり、日の入りの時刻は「１６：５０」である。
【００６７】
制御部１０は、ＲＴＣ１９から現在時刻（起動時刻）を読み出し、現在時刻が太陽が出ている時刻か否かを判定する（ステップＳ３６）。制御部１０がＲＴＣ１９から現在時刻を取得する処理は、起動時刻を取得する起動時刻取得部としての機能に相当する。この後、制御部１０は元の処理（図３のステップＳ６以降）に復帰する。したがって、制御部１０は、暦情報と今回の起動時刻とに基づいて、前回起動時の撮影モードを継続するか否かを判定することになる。
【００６８】
図７はカメラ起動後、表示部２０に表示された撮影画面例を示す図である。表示部２０の撮影画面には、日の入りから日の出までの時間帯であるとして、起動後の撮影モードとして夜景モードが選択されたことを示すモードアイコン２０ａ、ズーム操作が可能なズームボタン２０ｂ、およびメニューアイコン２０ｃが表示されている。
【００６９】
ここで、制御部１０は、表示部２０の撮影画面に、起動後の撮影モードを示すモードアイコン２０ａを表示する際、前回起動時の撮影モードが継続されたことを分かり易く表示するようにしてもよい。例えば、モードアイコン２０ａの色や形状を変更する、さらには、スピーカ２８から音声を発する。これにより、使用者は、前回の撮影モードが継続されたことを容易に認識することができる。
【００７０】
このように、第１の実施形態における携帯端末装置１によれば、起動時に最適な撮影モードを選択することができる。
【００７１】
（第２の実施形態）
第１の実施形態では、具体的に、前回起動時の夜景モードと水族館モードとが設定されるか否かを判定する場合を示したが、第２の実施形態では、一般的に、前回起動時の撮影モードが設定されるか否かを判定する場合を示す。
【００７２】
第２の実施形態の携帯端末装置は、第１の実施形態の携帯端末装置１と同一の構成を有するので、説明を省略する。ここでは、第１の実施形態と異なる動作について説明する。
【００７３】
図８は第２の実施形態におけるカメラ起動動作手順の一例を示すフローチャートである。カメラを起動する際の撮影プログラムは、制御部１０内のＲＯＭに格納されており、使用者が操作部１２のカメラキー１２ｄを押下してカメラ起動の指示を行うことにより、制御部１０内のＣＰＵによって実行される。
【００７４】
制御部１０は、現在位置情報として、ＧＰＳ受信部１７を介してＧＰＳ位置情報、あるいは無線通信部１５を介して基地局位置情報を取得し、メモリ１４に記憶する（ステップＳ５１）。さらに、制御部１０は、ＲＴＣ１９から現在日時情報を取得し、メモリ１４に記憶する（ステップＳ５２）。
【００７５】
制御部１０は、これらの取得した現在位置情報および現在日時情報の少なくとも一方をもとに、前回起動した時の撮影モードを継続する条件を満たしているか否かを判定する判定処理を行う（ステップＳ５３）。ここでは、前述した図２のテーブル６５に示した、前回起動したシーンモードごとの条件が満足されるか否かが判定される。また、制御部１０は、必要に応じて、インターネット網４６に接続された地図情報ＤＢサーバ４８あるいは暦情報ＤＢサーバ４９から情報を取得する。
【００７６】
制御部１０は、判定の結果、上記条件を満足しているか否かを判別する（ステップＳ５４）。条件を満たしている場合、制御部１０は、カメラ起動時の撮影モードを前回の撮影モードに設定し、カメラ１１に出力する（ステップＳ５５）。
【００７７】
一方、ステップＳ５４で条件を満たしていない場合、制御部１０は、カメラ起動時の撮影モードをオートモードに設定し、カメラ１１に出力する（ステップＳ５６）。なお、ステップＳ５５、Ｓ５６で設定された撮影モードはメモリ１４のワークメモリ１４ｃに記憶される。また、前回カメラ起動時の撮影モードがオートモードであった場合、図２のテーブル６５に示すように、無条件でオートモードが設定される。
【００７８】
第２の実施形態の携帯端末装置によれば、起動時に最適な撮影モードを選択することができる。
【００７９】
また、上記実施形態では、前回カメラ起動時の撮影モードを継続しない場合、撮影モードをオートモードに設定したが、オートモード以外の特定のシーンモードに設定するようにしてもよい。例えば、特定のシーンモードとして、使用者が頻繁に使用するシーンモード、あるいはあらかじめ固定したシーンモードに設定するようにしてもよい。これにより、操作性が向上するとともに、所望の撮影モードに設定することが可能である。
【００８０】
また、上記実施形態では、起動時の現在位置が前回起動時の位置から所定の移動距離に含まれる場合、前回起動時の撮影モードを継続するとしたが、カメラ起動時の現在位置が所定の領域に含まれる場合、前回起動時の撮影モードを継続するようにしてもよい。例えば、前回起動時の撮影モードが「風景」のシーンモードである場合、カメラ起動時の現在位置が観光名所として登録された地域にある場合、前回の「風景」のシーンモードを継続させるようにしてもよい。これにより、操作性が向上する。
【００８１】
また、上記実施形態では、前回の撮影モードとしてカメラ起動時の現在位置情報および現在日時情報がメモリに記憶されていたが、カメラ停止時の現在位置情報および現在日時情報をメモリに記憶するようにしてもよい。これにより、カメラを起動させたまま移動した場合でも、前回のカメラ動作時の位置情報が正しく得られる。また、起動させてから長時間が経過しても前回のカメラ動作時の時間情報が正しく得られる。
【００８２】
また、上記実施形態では、撮影装置として、スマートフォンや携帯電話機などの携帯端末装置に適用された場合を示したが、一般的なデジタルカメラ、カメラ機能を搭載したＰＣなどに適用してもよい。
【００８３】
また、本発明は、上記実施形態の機能を実現する撮影プログラムを、ネットワークあるいは各種記憶媒体を介して撮影装置に供給し、この撮影装置内のコンピュータが読み出して実行するプログラムも適用範囲である。
【産業上の利用可能性】
【００８４】
本発明は、起動時に最適な撮影モードを選択することができる撮影装置、撮影方法、及び撮影プログラム等に有用である。
【符号の説明】
【００８５】
１  携帯端末装置
１０  制御部
１１  カメラ
１１ａ  撮影部
１１ｂ  画像処理部
１１ｃ  モード設定部
１２  操作部
１２ａ  キー入力部
１２ｂ  タッチパネル
１２ｃ  シャッタボタン
１２ｄ  カメラキー
１３  表示制御部
１４  メモリ
１４ａ  画像メモリ
１４ｂ  テーブルメモリ
１４ｃ  ワークメモリ
１５  無線通信部
１６  無線ＬＡＮ接続部
１７  ＧＰＳ受信部
１８  音声処理部
１９  リアルタイムクロック（ＲＴＣ）
２０  表示部
２０ａ  モードアイコン
２０ｂ  ズームボタン
２０ｃ  メニューアイコン
３０  無線基地局
４０  アクセスポイント
４６  インターネット網
４８  地図情報データベース（ＤＢ）サーバ
４９  暦情報データベース（ＤＢ）サーバ
５０  ＧＰＳ衛星
６５  テーブル
【図１】
2014123786.tif 000003
【図２】
2014123786.tif 000004
【図３】
2014123786.tif 000005
【図４】
2014123786.tif 000006
【図５】
2014123786.tif 000007
【図６】
2014123786.tif 000008
【図７】
2014123786.tif 000009
【図８】
2014123786.tif 000010